(57)【要約】【課題】室内を撮像するカメラユニットを適切に設置可能な照明器具を提供する。【解決手段】照明器具１０は、天井に設置されたアダプタ１１に対して着脱可能な器具本体と、器具本体の床側に設けられる複数のＬＥＤ１７ｂと、複数のＬＥＤ１７ｂを覆うＬＥＤカバー１９と、室内を撮像するカメラユニット２１と、カメラユニット２１に対応する箇所に開口ｍが設けられ、ＬＥＤカバー１９を覆うカバー部材２２と、を備え、カメラユニット２１は、撮像素子を含む本体部２１ａと、本体部２１ａに組み付けられる基部２１ｂと、を有し、基部２１ｂは、手指を出し入れするための切欠ｋを有し、ＬＥＤカバー１９と一体的に形成されている。【選択図】図２
2018170165.tif 000002
【特許請求の範囲】
【請求項１】
天井に設置されたアダプタに対して着脱可能な器具本体と、
前記器具本体の床側に設けられる複数のＬＥＤと、
複数の前記ＬＥＤを覆うＬＥＤカバーと、
室内を撮像するカメラユニットと、
前記カメラユニットに対応する箇所に開口が設けられ、前記ＬＥＤカバーを覆うカバー部材と、を備え、
前記カメラユニットは、
撮像素子を含む本体部と、
前記本体部と一体であるか又は前記本体部に組み付けられる基部と、を有し、
前記基部は、手指を出し入れするための切欠が設けられ、前記ＬＥＤカバーと一体的に形成されていること
を特徴とする照明器具。
【請求項２】
天井に設置されたアダプタに対して着脱可能な器具本体と、
前記器具本体の床側に設けられる複数のＬＥＤと、
複数の前記ＬＥＤを覆い、前記アダプタに対応する箇所に孔が設けられたＬＥＤカバーと、
前記孔を塞ぐキャップと、
室内を撮像するカメラユニットと、
前記カメラユニットに対応する箇所に開口が設けられ、前記ＬＥＤカバーを覆うカバー部材と、を備え、
前記カメラユニットは、
撮像素子を含む本体部と、
前記本体部と一体であるか又は前記本体部に組み付けられる基部と、を有し、
前記基部は、前記キャップと一体的に形成されていること
を特徴とする照明器具。
【請求項３】
天井に設置されたアダプタに対して着脱可能な器具本体と、
前記器具本体の床側に設けられる複数のＬＥＤと、
複数の前記ＬＥＤを覆うＬＥＤカバーと、
室内を撮像するカメラユニットと、
前記カメラユニットに対応する箇所に開口が設けられ、前記ＬＥＤカバーを覆うカバー部材と、を備え、
前記カメラユニットは、
撮像素子を含む本体部と、
前記本体部に組み付けられる基部と、
前記基部に対して前記本体部を鉛直下向きに付勢する弾性体と、
前記基部を前記アダプタに固定する脚部と、を備えていること
を特徴とする照明器具。
【請求項４】
天井に設置されたアダプタに対して着脱可能な器具本体と、
前記器具本体の床側に設けられる複数のＬＥＤと、
複数の前記ＬＥＤを覆うＬＥＤカバーと、
室内を撮像するカメラユニットと、
前記カメラユニットに対応する箇所に開口が設けられ、前記ＬＥＤカバーを覆うカバー部材と、を備え、
前記カメラユニットは、
撮像素子を含む本体部と、
前記本体部と一体であるか又は前記本体部に組み付けられる基部と、を有し、
前記カメラユニットは、前記カバー部材の前記開口に嵌め込まれて固定されていること
を特徴とする照明器具。
【請求項５】
前記本体部と前記基部とが係止によって組み付けられる場合において、前記カバー部材を回転させて前記器具本体に係止させる際の回転の向きと、前記本体部を回転させて前記基部に係止させる際の回転の向きと、が同じであること
を特徴とする請求項１から請求項４のいずれか一項に記載の照明器具。
【請求項６】
前記カバー部材を回転させて前記器具本体に係止させるのに要する回転角よりも、前記本体部を回転させて前記基部に係止させるのに要する回転角のほうが大きいこと
を特徴とする請求項５に記載の照明器具。
【請求項７】
前記開口に設置されて前記本体部に接する樹脂製のパッキンを備え、
前記パッキンは、
前記カバー部材よりも前記天井側に位置している第１環状部と、
前記カバー部材よりも前記床側の位置している第２環状部と、
前記第１環状部と前記第２環状部との間に位置し、前記第１環状部及び前記第２環状部に接続される平面視環状の接続部と、を有し、
前記第１環状部、前記接続部、及び前記第２環状部は、中心軸が同軸で一体的に形成され、
前記第１環状部の厚さは、前記第２環状部よりも厚いこと
を特徴とする請求項１から請求項４のいずれか一項に記載の照明器具。
【発明の詳細な説明】
【技術分野】
【０００１】
本発明は、照明器具に関する。
【背景技術】
【０００２】
在室者の動作に応じて調光・調色を行う照明器具が知られている。このような照明器具として、例えば、特許文献１には、「検知範囲において人の存在を検知している場合は、検知信号としてハイレベルを制御部１５０に出力する」人感センサを備えたものが記載されている。
【先行技術文献】
【特許文献】
【０００３】
【特許文献１】特許第５９０９６２０号公報
【発明の概要】
【発明が解決しようとする課題】
【０００４】
しかしながら、赤外線等を用いた人感センサでは人と動物との区別がつきにくく、また、在室者が静止しているのか、それとも在室者がいないのかという区別がつきにくい。このようなことを考慮して、照明器具にカメラユニットを設置することが考えられるが、カメラユニットの設置方法等について工夫の余地があった。
【０００５】
そこで、本発明は、室内を撮像するカメラユニットを適切に設置可能な照明器具を提供することを課題とする。
【課題を解決するための手段】
【０００６】
前記課題を解決するために、本発明に係る照明器具は、カメラユニットの基部が、手指を出し入れするための切欠を有し、ＬＥＤカバーと一体的に形成されていることを特徴とする。
【０００７】
また、本発明に係る照明器具は、カメラユニットの基部が、ＬＥＤカバーの孔を塞ぐキャップと一体的に形成されていることを特徴とする。
【０００８】
また、本発明に係る照明器具は、カメラユニットが、基部に対して本体部を鉛直下向きに付勢する弾性体と、前記基部をアダプタに固定する脚部と、を備えていることを特徴とする。
【０００９】
また、本発明に係る照明器具は、カメラユニットが、カバー部材の開口に嵌め込まれて固定されていることを特徴とする。
【発明の効果】
【００１０】
本発明によれば、室内を撮像するカメラユニットを適切に設置可能な照明器具を提供できる。
【図面の簡単な説明】
【００１１】
【図１】本発明の第１実施形態に係る照明器具のカバー部材を取り外した状態の斜視図である。
【図２】本発明の第１実施形態に係る照明器具の分解斜視図である。
【図３】本発明の第１実施形態に係る照明器具の縦断面図である。
【図４】本発明の第１実施形態に係る照明器具が備えるカメラユニットの分解斜視図である。
【図５】本発明の第１実施形態に係る照明器具のカメラユニットが備える基部の底面図である。
【図６】本発明の第１実施形態に係る照明器具のパッキン付近の部分的な縦断面斜視図である。
【図７】本発明の第２実施形態に係る照明器具のカバー部材を取り外した状態の斜視図である。
【図８】本発明の第２実施形態に係る照明器具の分解斜視図である。
【図９】本発明の第２実施形態に係る照明器具のキャップ及びカメラユニットを含む斜視図である。
【図１０】本発明の第３実施形態に係る照明器具のカバー部材を取り外した状態の斜視図である。
【図１１】本発明の第３実施形態に係る照明器具の分解斜視図である。
【図１２】本発明の第３実施形態に係る照明器具が備えるアダプタ及びカメラユニットの斜視図である。
【図１３】本発明の第３実施形態に係る照明器具が備えるカメラユニットの縦断面図である。
【図１４】本発明の第４実施形態に係る照明器具のカメラユニット及びカバー部材を含む断面図である。
【発明を実施するための形態】
【００１２】
≪第１実施形態≫
＜照明器具の構成＞
図１は、第１実施形態に係る照明器具１０のカバー部材２２を取り外した状態の斜視図である。なお、図１の紙面上側は天井側であり、紙面下側は床側である（図２等も同様）。
照明器具１０は、例えば、丸型のシーリングライトであり、複数のＬＥＤ１７ｂ（Light Emitting Diode：図２参照）によって室内に光を照射するものである。また、照明器具１０は、カメラユニット２１によって室内を撮像する機能も有している。
【００１３】
図２は、第１実施形態に係る照明器具１０の分解斜視図である。
図２に示すように、照明器具１０は、アダプタ１１と、本体ベース１２と、アダプタ受け部１３と、回路基板１４と、放熱板１５と、センサユニット１６と、を備えている。また、照明器具１０は、前記した構成の他に、ＬＥＤ基板１７と、反射シート１８と、ＬＥＤカバー１９と、カメラユニット２１と、カバー部材２２と、パッキン２３と、を備えている。
【００１４】
アダプタ１１は、天井に設けられた引掛シーリング等（図示せず）に接続される接続器具であり、図２に示す例では、外形円柱状を呈している。そして、引掛シーリング等にアダプタ１１が接続され、さらに、アダプタ１１と回路基板１４とが電気的に接続されることで、回路基板１４の電子部品やＬＥＤ１７ｂの他、カメラユニット２１等に電力が供給されるようになっている。
【００１５】
なお、アダプタ１１の周壁の一部には、径方向外側に突出する爪１１ａ，１１ｂが上下２段で設けられている。そして、上下２段のうちいずれか一方の爪（アダプタ受け部１３の型式に合う方の爪）が、このアダプタ受け部１３に係合するようになっている。
【００１６】
本体ベース１２は、アダプタ受け部１３等を固定するものである。本体ベース１２は、円形の底浅凹状（皿状）に形成された鋼板であり、その凹面が床側に向くように配置されている。本体ベース１２の中央付近には、アダプタ１１が挿通される円形の孔ｈ１が形成されている。
【００１７】
アダプタ受け部１３は、アダプタ１１に係合する樹脂製の部材であり、板状部１３ａと、筒状部１３ｂと、を備えている。板状部１３ａは、アダプタ１１が挿通される円形の孔ｈ２を有する板状の部分であり、本体ベース１２にネジ止め固定される。筒状部１３ｂは、アダプタ１１に係合する筒状の部分であり、板状部１３ａの孔ｈ２の周縁部から下側（床側）に延びている。
【００１８】
回路基板１４は、電源回路（図示せず）や制御回路（図示せず）が実装された基板であり、アダプタ受け部１３の板状部１３ａにネジ止め固定される。
【００１９】
放熱板１５は、複数のＬＥＤ１７ｂから発せられる熱を逃がすための板であり、例えば、亜鉛メッキ鋼板を加工することで形成される。図２に示す例では、本体ベース１２よりも径の大きい円板状の放熱板１５が、回路基板１４の下側（床側）に配置されている。
【００２０】
放熱板１５において、アダプタ受け部１３の筒状部１３ｂに対応する位置には、この筒状部１３ｂが挿通・係止される円形の孔ｈ３が形成されている。また、放熱板１５の外周縁部には、カバー部材２２が係止される受け具１５ａが、周方向において１２０°間隔で３箇所に設けられている。
【００２１】
センサユニット１６は、照明器具１０が設置されている部屋の照度を検出し、この照度が所定の値になるように、複数のＬＥＤ１７ｂへの電力供給を調整する機能等を有している。センサユニット１６は、回路基板１４に電気的に接続されている。
【００２２】
なお、天井に設置されたアダプタ１１に対して着脱可能な「器具本体」は、本体ベース１２と、アダプタ受け部１３と、回路基板１４と、放熱板１５と、センサユニット１６と、を含んで構成される。また、照明器具１０が出荷される際には、通常、「器具本体」の他、後記するＬＥＤ基板１７、反射シート１８、ＬＥＤカバー１９、及びカメラユニット２１が（つまり、カバー部材２２以外の各部品が）既に組み付けられて、略一体になっている。
【００２３】
図２に示すＬＥＤ基板１７は、中央に孔ｈ４が設けられた円板状の配線基板１７ａと、この配線基板１７ａの床側の面に同心円状に配置された複数のＬＥＤ１７ｂと、を備え、前記した「器具本体」の床側に設けられている。なお、複数のＬＥＤ１７ｂの発光色は、昼光色や電球色であってもよいし、また、青色や赤色のＬＥＤが混在していてもよい。
【００２４】
反射シート１８は、複数のＬＥＤ１７ｂから天井側に放射された光（ＬＥＤカバー１９やカバー部材２２によって天井側に反射した光）を床側に反射させるシートである。反射シート１８は、中心部に孔ｈ５が設けられた円板状を呈し、鉛直方向においてＬＥＤ基板１７とＬＥＤカバー１９との間に介在している。
【００２５】
ＬＥＤカバー１９は、複数のＬＥＤ１７ｂから発せられた光を拡散させるためのカバーであり、複数のＬＥＤ１７ｂを覆っている。より詳しく説明すると、ＬＥＤカバー１９は、ＬＥＤ１７ｂと一対一で対応して、ＬＥＤ１７ｂの床側に配置される半球面状のレンズ１９ａを複数有している。それぞれのレンズ１９ａは、ＬＥＤ１７ｂから発せられた光が部屋中に広がるように、その光を拡散させる機能を有している。なお、円板状を呈するＬＥＤカバー１９の中心付近においてアダプタ１１に対応する箇所には、円形の孔ｈ５が設けられている。
図２に示すカメラユニット２１は、室内を撮像するものである。このカメラユニット２１の構成について、図３等を参照して説明する。
【００２６】
図３は、照明器具１０の縦断面図である。
図３に示すように、カメラユニット２１は、ＣＣＤ（Charge Coupled Device）イメージセンサ等の撮像素子ｐを含む本体部２１ａと、この本体部２１ａに組み付けられる基部２１ｂと、を有している。本体部２１ａは、撮像素子ｐの他に、この撮像素子ｐを固定・支持する固定部ｑと、撮像素子ｐに光を導くレンズｒと、を有している。
【００２７】
図３に示すように、本体部２１ａは、複数のＬＥＤ１７ｂよりも下側（床側）に位置している。また、カバー部材２２においてレンズｒに対応する箇所（中心部）には、環状のパッキン２３が設けられている。詳細については後記するが、これによって、ＬＥＤ１７ｂから放射された光が撮像素子ｐに直接的に入射しないようにしている。そして、部屋に照射されて家具や壁で反射した光が、レンズｒを介して撮像素子ｐに入射するようになっている。
【００２８】
図３に示す固定部ｑは、配線（図示せず）を挿通させるための孔（図示せず）が底壁（天井側）に設けられた有底筒状の樹脂製部材である。固定部ｑの上面には、例えば、２つの係止片（図示せず）が設けられている。これらの係止片が、図２に示す基部２１ｂの係止孔ｖに嵌め込まれて係止されることで、基部２１ｂと本体部２１ａとが組み付けられるようになっている。
【００２９】
図３に示すレンズｒ（例えば、魚眼レンズ）は、部屋から入射する光を撮像素子ｐに導くものであり、固定部ｑの下側の開口（図示せず）に設置されている。このようにレンズｒを設けることで、カメラユニット２１によって部屋の略全体を撮像できる。
基部２１ｂは、本体部２１ａが固定される部分であり、図２に示すように、ＬＥＤカバー１９と一体的に形成されている。
【００３０】
図４は、照明器具１０が備えるカメラユニット２１の分解斜視図である。
なお、図４では、基部２１ｂと一体的に形成されたＬＥＤカバー１９（図２参照）の図示を省略している。
図４に示すように、基部２１ｂは、有底円筒状を呈する樹脂部材の周壁・底壁の一部を切り欠いた構成になっている。より詳しく説明すると、基部２１ｂは、前記した樹脂部材の周壁において、径方向で相対する２箇所を切り欠き、この２箇所から底壁の一部をさらに円弧状に切り欠いた構成になっている。この基部２１ｂの切欠ｋは、アダプタ１１を介した接続作業の際、ユーザが手指を出し入れするために設けられている。
【００３１】
図５は、カメラユニット２１が備える基部２１ｂの底面図である。
図５に示すように、基部２１ｂの底壁において、切欠ｋの縁部は円弧状を呈している。これによって、ユーザが切欠ｋに手指を入れた状態で（例えば、２つの切欠ｋのうち一方に親指を入れ、他方に人差し指・中指を入れた状態で）、アダプタ１１を介した接続作業を容易に行うことができる。
【００３２】
また、底面視における切欠ｋの長さＬ（前記した円弧の両端ｉ，ｉ間の距離）は、５ｃｍ以上、望ましくは８ｃｍ以上とすることが好ましい。これによって、ユーザが切欠ｋに手指を入れた状態での接続作業が行いやすくなるからである。
【００３３】
基部２１ｂの底壁の中心部には、配線（図示せず）を挿通するための孔ｈ７が設けられている。また、図５に示す例では、本体部２１ａの係止片（図示せず）が嵌め込まれて係止される円弧状の係止孔ｖが、基部２１ｂに２つ設けられている。そして、作業員が係止片（図示せず）を係止孔ｖに嵌め込んだ状態で、例えば、右側に所定角度だけ本体部２１ａを回転させることで、本体部２１ａが基部２１ｂに組み付けられるようになっている。
【００３４】
図４に示す固定部ｑは、本体部２１ａが基部２１ｂに組み付けられた状態で、この固定部ｑの側壁面が切欠ｋの縁部と略面一（図５参照）となるように、底面視でくびれた形状を呈している。これによって、組付作業において、切欠ｋの縁部と固定部ｑの側壁面とが略面一になったとき、本体部２１ａが基部２１ｂに確実に組み付けられたことを作業員が確認しやすくなる。
【００３５】
なお、底面視における本体部２１ａの形状は、図４に示す例に限定されない。例えば、本体部２１ａの底面視での形状を、基部２１ｂ（切欠ｋ，ｋの縁部の間）からはみ出さない程度の大きさの円形、楕円形、矩形、又は多角形にしてもよい。これによって、本体部２１ａによって切欠ｋの一部が塞がれることを防止できる。なお、底面視において、基部２１ｂから本体部２１ａが若干はみ出していても特に問題はない。
【００３６】
また、本体部２１ａ及び基部２１ｂは、透光性の樹脂で構成されることが好ましい。これによって、ＬＥＤ１７ｂから放射された光の一部が本体部２１ａや基部２１ｂを透過する。したがって、外部から見て、カメラユニット２１付近（中心部）が他と比べて暗くなることを抑制できる。
【００３７】
また、本体部２１ａ及び基部２１ｂが透光性ではなく、光を散乱させる白色又は乳白色の樹脂であってもよい。これによって、ＬＥＤ１７ｂから放射された光の一部が本体部２１ａや基部２１ｂで反射（散乱）する。したがって、外部から見て、カメラユニット２１付近の中心部が他と比べて暗くなることを抑制できる。
【００３８】
図２に示すカバー部材２２は、ユーザが照明器具１０を直視した場合のまぶしさを軽減するために、ＬＥＤ１７ｂから放射された光を拡散させる透光性のカバーであり、ＬＥＤカバー１９を覆っている。また、カバー部材２２は、部屋における照度の均一化を図る機能も有している。カバー部材２２は、前記したように、放熱板１５の３つの受け具１５ａに対して着脱自在になっている。カバー部材２２には、カメラユニット２１に対応する箇所に円形の開口ｍが設けられている。
【００３９】
図３に示すように、カバー部材２２には、その開口ｍに設置されて本体部２１ａに接する（略密着する）樹脂製のパッキン２３が設置されている。このパッキン２３は、カメラユニット２１とカバー部材２２との間の隙間をなくし、前記した隙間を介して外部から虫等が侵入することを防止したり、カバー部材２２のガタつきを防止するためのものである。また、パッキン２３は、ＬＥＤ１７ｂから放射された光が撮像素子ｐに直接的に入射することなく、その光を自身で（つまり、パッキン２３で）反射させる機能も有している。
【００４０】
なお、図２に示すカバー部材２２を回転させて、前記した「器具本体」に係止させる際の回転の向き（例えば、ユーザから見て右回り）と、カメラユニット２１の本体部２１ａを回転させて基部２１ｂに係止させる際の回転の向き（例えば、ユーザから見て右回り）と、が同じであることが好ましい。
仮に、これらの向きが互いに逆である場合には、カバー部材２２を回転させて取り付ける際、本体部２１ａとパッキン２３との間の摩擦力によって、本体部２１ａが取外しの向きに共回りする可能性があるからである。つまり、ユーザがカバー部材２２を取り付ける作業に起因して、本体部２１ａが外れてしまうことを防止するために、前記した向きの関係が決められている。
【００４１】
さらに、図２に示すカバー部材２２を回転させて「器具本体」に係止させるのに要する回転角（例えば、右回りに６０°）よりも、カメラユニット２１の本体部２１ａを回転させて基部２１ｂに係止させるのに要する回転角（例えば、右回りに１２０°）のほうが大きいことが好ましい。カバー部材２２を回転させて取り外す際、本体部２１ａとパッキン２３との間の摩擦力によって、本体部２１ａが取外しの向きに共回りする可能性があるが、前記した回転角の大小関係によって、本体部２１ａが外れてしまうことを防止できる。
次に、カバー部材２２に設置されるパッキン２３の構成について詳細に説明する。
【００４２】
図６は、パッキン２３付近の部分的な縦断面斜視図（図２のII−II線で切断した縦断面斜視図）である。
図６に示すように、パッキン２３は、第１環状部２３ａと、第２環状部２３ｂと、接続部２３ｃと、が一体成形された樹脂製の部材であり、平面視で環状を呈している。
【００４３】
第１環状部２３ａは、カバー部材２２よりも天井側に位置している平面視環状の部分である。
第２環状部２３ｂは、カバー部材２２よりも床側の位置している平面視環状の部分である。
【００４４】
接続部２３ｃは、鉛直方向において第１環状部２３ａと第２環状部２３ｂとの間に位置し、第１環状部２３ａ及び第２環状部２３ｂに接続される平面視環状の部分である。そして、第１環状部２３ａ、接続部２３ｃ、及び第２環状部２３ｂは、中心軸Ｕが同軸で一体的に形成されている。
【００４５】
なお、第１環状部２３ａ、接続部２３ｃ、及び第２環状部２３ｂの内周面は面一になっている。これら第１環状部２３ａ、接続部２３ｃ、及び第２環状部２３ｂを備えるパッキン２３の孔が、カバー部材２２の開口ｍである。
【００４６】
また、図６に示すように、鉛直方向における第１環状部２３ａの厚さ（例えば、２ｍｍ以上１０ｍｍ以下）は、第２環状部２３ｂよりも厚くなっている。つまり、第１環状部２３ａは、第２環状部２３ｂよりも肉厚に形成されている。これによって、複数のＬＥＤ１７ｂから発せられた光が第１環状部２３ａを透過せず、この第１環状部２３ａで反射する。したがって、ＬＥＤ１７ｂからの光が撮像素子ｐ（図３参照）に直接的に入射することを防止し、カメラユニット２１によって室内を適切に撮像できる。
【００４７】
このようにして、カメラユニット２１によって室内が撮像され、その撮像結果に基づき、回路基板１４（図２参照）に実装された制御回路（図示せず）が、ＬＥＤ１７ｂの調光・調色を行うようになっている。その例を挙げると、制御回路は、室内に人がいるときにはＬＥＤ１７ｂを点灯させ、室内に人がいないときにはＬＥＤ１７ｂを消灯または減光させる。また、室内の人が所定のジェスチャをした場合、制御回路は、このジェスチャに応じた所定の調光・調色を行う。これによって、快適性の高い照明を行うことができる。
【００４８】
＜効果＞
第１実施形態によれば、カメラユニット２１（図４参照）の基部２１ｂに、ユーザの手指を出し入れするための切欠ｋが設けられ、この基部２１ｂに本体部２１ａが組み付けられている。したがって平面視で照明器具１０の中心付近にカメラユニット２１を設ける構成でも、アダプタ１１を介した接続作業をユーザが容易に行うことができる。また、「器具本体」にカバー部材２２を取り付けた状態で（図３参照）、カバー部材２２の開口ｍからカメラユニット２１のレンズｒが覗くように、基部２１ｂ及び本体部２１ａが形成されている。したがって、カメラユニット２１によって室内を適切に撮像できる。
【００４９】
また、例えば、カメラユニット２１の本体部２１ａが故障した場合には、この本体部２１ａを基部２１ｂから取り外して（つまり、本体部２１ａとの間の係止を解除して）、修理や部品交換を行うことができる。したがって、本体部２１ａと基部２１ｂとが一体である場合に比べて、カメラユニット２１のメンテナンスが行いやすいという利点がある。
【００５０】
また、カバー部材２２の開口ｍに設置されるパッキン２３（図６参照）において、天井側の第１環状部２３ａのほうが、床側の第２環状部２３ｂよりも肉厚になっている。これによって、複数のＬＥＤ１７ｂから放射された光が、肉厚の第１環状部２３ａで反射するため、前記した光が撮像素子ｐに直接的に入射することを防止できる。
【００５１】
≪第２実施形態≫
第２実施形態に係る照明器具１０Ａ（図８参照）は、ＬＥＤカバー１９の孔ｈ６を塞ぐキャップ２４を備え、このキャップ２４とカメラユニット２１の基部２１ｂとが一体的に形成されている点が第１実施形態とは異なっている。なお、その他については第１実施形態と同様である。したがって、第１実施形態とは異なる部分について説明し、重複する部分については説明を省略する。
【００５２】
図７は、第２実施形態に係る照明器具１０Ａのカバー部材２２を取り外した状態の斜視図である。
詳細については後記するが、図７に示すキャップ２４に設置されたカメラユニット２１によって、室内が撮像されるようになっている。また、照明器具１０Ａが出荷される際には、通常、図７に示すカバー部材２２以外の各部品が既に組み付けられて、略一体になっている。また、カバー部材２２に設置されたパッキン２３は、第１実施形態と同様の構成（図６参照）を備えている。
【００５３】
図８は、第２実施形態に係る照明器具１０Ａの分解斜視図である。
図８に示すように、照明器具１０Ａは、アダプタ１１と、本体ベース１２と、アダプタ受け部１３と、回路基板１４と、放熱板１５と、センサユニット１６と、を備えている。また、照明器具１０Ａは、前記した構成の他に、ＬＥＤ基板１７と、反射シート１８と、ＬＥＤカバー１９と、カメラユニット２１と、カバー部材２２と、パッキン２３と、キャップ２４と、を備えている。
【００５４】
図８に示すように、本体ベース１２、アダプタ受け部１３、放熱板１５、ＬＥＤ基板１７、反射シート１８、及びＬＥＤカバー１９には、それぞれ、アダプタ１１に対応する箇所に円形の孔（例えば、ＬＥＤカバー１９の孔ｈ６）が形成されている。これらの孔を床側から塞ぐ部材が、次に説明するキャップ２４である。
【００５５】
図９は、キャップ２４及びカメラユニット２１を含む斜視図である。
図９に示すキャップ２４は、ＬＥＤカバー１９に設けられた孔ｈ６等（図８参照）を塞ぐ樹脂製の部材であり、円板状を呈している。キャップ２４の中央付近には、配線（図示せず）が挿通される孔（図示せず）が形成されている。なお、ＬＥＤ１７ｂから照射される光をキャップ２４で反射させ、さらに、この光を拡散させるために、キャップ２４は白色又は乳白色であることが好ましい。これによって、ＬＥＤ１７ｂ（図８参照）から照射された光がアダプタ１１側に漏れることを防止できる。
【００５６】
また、キャップ２４は、ＬＥＤカバー１９に対して着脱自在になっている。より詳しく説明すると、キャップ２４は、薄い円板状の小径部２４ａと、この小径部２４ａよりも径が若干大きい大径部２４ｂと、が同軸で一体成形された形状になっている。そして、図示はしないが、ＬＥＤカバー１９の孔ｈ６の周壁に設けられた受け具（図示せず）に係合する突起（図示せず）が、例えば、小径部２４ａの周壁に形成されている。そして、ＬＥＤカバー１９の孔ｈ６（図８参照）の位置に合わせて、ユーザが、例えば、右周りに所定角度だけキャップ２４を回転させると、このキャップ２４がＬＥＤカバー１９に係合するようになっている。
【００５７】
図９に示すように、カメラユニット２１は、基部２１ｂと、本体部２１ａと、を備えている。
基部２１ｂは、キャップ２４の中央付近に配置され、このキャップ２４と一体的に形成されている。本体部２１ａは、第１実施形態と同様に、撮像素子ｐと、固定部ｑと、レンズｒと、を有している。第２実施形態では、カメラユニット２１の基部２１ｂと、本体部２１ａと、が溶着や接着等によって略一体になっている。つまり、図９に示す本体部２１ａ、基部２１ｂ、及びキャップ２４が略一体になっている。
なお、カメラユニット２１を構成する樹脂は透光性であってもよいし、また、光を反射・散乱させる白色や乳白色であってもよい。
【００５８】
次に、カバー部材２２を回転させて「器具本体」に係止させる際の回転の向き・角度について、図８を参照して説明する。なお、第１実施形態と同様に、「器具本体」は、本体ベース１２と、アダプタ受け部１３と、回路基板１４と、放熱板１５と、センサユニット１６と、を含んで構成される。
【００５９】
カバー部材２２を回転させて「器具本体」に係止させる際の回転の向き（例えば、ユーザから見て右回り）は、キャップ２４を回転させてＬＥＤカバー１９に係止させる際の回転の向き（例えば、ユーザから見て右回り）と同じであることが好ましい。カバー部材２２を回転させて取り付ける際、キャップ２４が取外しの向きに共回りすることを防止するためである。
【００６０】
さらに、カバー部材２２を回転させて「器具本体」に係止させるのに要する回転角（例えば、右回りに６０°）よりも、キャップ２４を回転させてＬＥＤカバー１９に係止させるのに要する回転角（例えば、右回りに１２０°）のほうが大きいことが好ましい。カバー部材２２を回転させて取り外す際、カメラユニット２１やキャップ２４が外れてしまうことを防止するためである。
【００６１】
＜効果＞
第２実施形態によれば、カメラユニット２１のメンテナンスや交換を行う際には、キャップ２４を取り外せばよいため、メンテナンス等の作業が容易になり、また、メンテナンス等に要する費用を削減できる。
また、第２実施形態に係る照明器具１０Ａは、これまで使用されていた照明器具（カメラユニット２１を備えていないもの：図示せず）のキャップ２４に、カメラユニット２１を取り付けた構成になっている。したがって、これまでの照明器具との間で、多くの部品を共用化できるという利点もある。
【００６２】
また、ＬＥＤカバー１９の中心付近に設けられた孔ｈ６（図８参照）がキャップ２４によって塞がれ、ＬＥＤ１７ｂからの光がキャップ２４で反射する。したがって、ＬＥＤ１７ｂからの光を高効率で部屋に照射させることができる。
【００６３】
また、カバー部材２２を「器具本体」に係止させる際のカバー部材２２の回転の向きと、キャップ２４を回転させてＬＥＤカバー１９に係止させる際の回転の向きと、が同じである。したがって、カバー部材２２を取り付ける際、カメラユニット２１やキャップ２４が外れることを防止できる。
【００６４】
また、カバー部材２２を回転させて「器具本体」に係止させるのに要する回転角よりも、キャップ２４を回転させてＬＥＤカバー１９に係止させるのに要する回転角のほうが大きい。したがって、カバー部材２２を取り外す際、カメラユニット２１やキャップ２４が外れることを防止できる。
【００６５】
≪第３実施形態≫
第３実施形態は、カメラユニット２１Ｂ（図１２参照）の本体部２１ｃが基部２１ｄに対して鉛直方向で移動可能になっている点が、第１実施形態とは異なっている。また、第３実施形態は、基部２１ｂが脚部２１ｅ（図１２参照）を介してアダプタ１１に固定されている点が、第１実施形態とは異なっている。なお、その他については第１実施形態と同様である。したがって、第１実施形態とは異なる部分について説明し、重複する部分については説明を省略する。
【００６６】
図１０は、第３実施形態に係る照明器具１０Ｂのカバー部材２２を取り外した状態の斜視図である。
詳細については後記するが、脚部２１ｅを備えるカメラユニット２１Ｂがアダプタ１１（図１１参照）に固定され、このカメラユニット２１Ｂによって室内が撮像されるようになっている。
【００６７】
なお、照明器具１０Ｂが出荷させる際には、通常、カメラユニット２１Ｂ及びアダプタ１１が略一体になっており、これとは別に、第１実施形態と同様の「器具本体」が既に組み付けられて略一体になっている。ちなみに、カバー部材２２に設置されたパッキン２３は、第１実施形態（図６参照）と同様の構成を備えている。
【００６８】
図１１は、第３実施形態に係る照明器具１０Ｂの分解斜視図である。
図１１に示すように、照明器具１０Ｂは、アダプタ１１と、本体ベース１２と、アダプタ受け部１３と、回路基板１４と、放熱板１５と、センサユニット１６と、を備えている。また、照明器具１０Ｂは、前記した構成の他に、ＬＥＤ基板１７と、反射シート１８と、ＬＥＤカバー１９と、カメラユニット２１Ｂと、カバー部材２２と、パッキン２３と、を備えている。
【００６９】
図１２は、アダプタ１１及びカメラユニット２１Ｂの斜視図である。
図１２に示すように、カメラユニット２１Ｂは、撮像素子ｐを含む本体部２１ｃと、本体部２１ｃに組み付けられる基部２１ｄと、基部２１ｂをアダプタ１１に固定する脚部２１ｅと、基部２１ｄに対して本体部２１ｃを鉛直下向きに付勢するバネ２１ｆ（弾性体：図１３参照）と、を備えている。
【００７０】
本体部２１ｃは、筒状を呈し、その先端付近に撮像素子ｐが固定部ｑによって固定・支持され、さらに、撮像素子ｐを覆うようにレンズｒが設けられている。
基部２１ｄは、筒状を呈し、本体部２１ｃの下部の外側面を囲んでいる。つまり、基部２１ｄの下部と、本体部２１ｃの上部、とが重なっており、基部２１ｄに対して本体部２１ｃが鉛直方向で移動可能になっている（図１２の矢印を参照）。
脚部２１ｅは、基部２１ｄをアダプタ１１に固定するための板状部材であり、基部２１ｄにネジ止め固定されるとともに、アダプタ１１にもネジ止め固定されている。
【００７１】
図１３は、カメラユニット２１Ｂの縦断面図である。
なお、図１３では、撮像素子ｐに接続される配線の図示を省略している。
図１３に示すバネ２１ｆは、基部２１ｄに対して本体部２１ｃを鉛直下向きに付勢する弾性体であり、基部２１ｄの内部に設置されている。図１３に示す例では、本体部２１ｃの側壁から内側に延びる突起ｗと、基部２１ｄの側壁の所定位置（突起ｗよりも上側）から内側に延びる別の突起ｔと、の間にバネ２１ｆが介設されている。
【００７２】
また、基部２１ｄの下端付近には、内側に延びる別の突起ｓが形成されている。一方、本体部２１ｃには、前記した突起ｓが鉛直方向に移動可能な細長の孔ｈ８が形成されている。なお、詳細については後記するが、孔ｈ８の鉛直方向の長さは、アダプタ１１（図１２参照）に設けられた爪１１ａ，１１ｂの鉛直方向の距離に対応している。
【００７３】
照明器具１０Ｂ（図１１参照）をユーザが設置する際には、前記したように、天井の引掛シーリング等（図示せず）にアダプタ１１が接続される。この状態において、アダプタ１１と略一体でカメラユニット２１Ｂが設置された状態になっている。
【００７４】
そして、最終的にカバー部材２２（図１１参照）が取り付ける過程で、バネ２１ｆ（図１３参照）の付勢力に抗して、本体部２１ｃがパッキン２３（図１１参照）によって上向きに押圧されると、バネ２１ｆが圧縮されて本体部２１ｃが上向きに移動する。そして、前記した押圧が解除されると、バネ２１ｆの復元力によって、本体部２１ｃと基部２１ｄとの位置関係が元に戻るようになっている。
なお、バネ２１ｆは、コイルバネであってもよいし、板バネといった他の種類の弾性体であってもよい。また、図１３に示す構成は一例であり、これに限定されるものではない。
【００７５】
このように、バネ２１ｆの付勢力によって本体部２１ａを鉛直方向に移動可能にしたのは、アダプタ１１の爪１１ａ，１１ｂ（図１２参照）における係止位置が、「器具本体」の型式によって鉛直方向で異なる場合があるからである。
【００７６】
例えば、上下に２つ並んで配置されている爪１１ａ，１１ｂ（図１２参照）のうち、上側の爪１１ａによってアダプタ１１が「器具本体」に係止される場合を考える。この場合には、ユーザによってカバー部材２２（図１１参照）が設置されると、カバー部材２２のパッキン２３によってカメラユニット２１Ｂのレンズｒの周囲が上向きに押圧され、バネ２１ｆの付勢力に抗して本体部２１ｃが若干上向きに移動する。そうすると、カメラユニット２１Ｂのレンズｒの一部がカバー部材２２の開口ｍから覗く状態になり、カメラユニット２１Ｂを適切な位置に配置できる。
【００７７】
次に、下側の爪１１ｂ（図１２参照）によってアダプタ１１が「器具本体」に係止された場合を考える。この場合、ユーザによってカバー部材２２が設置されると、カバー部材２２のパッキン２３によってカメラユニット２１Ｂのレンズｒの周囲が上向きに押圧され、バネ２１ｆの付勢力に抗して本体部２１ｃが所定距離だけ上向きに移動する。その結果、カメラユニット２１Ｂのレンズｒの一部がカバー部材２２の開口ｍから覗く状態になり、カメラユニット２１Ｂのレンズｒを適切な位置に配置できる。このように、第３実施形態では、「器具本体」がアダプタ１１の爪１１ａ，１１ｂのいずれに係止されても、カメラユニット２１Ｂのレンズｒが適切な位置に配置されるように構成されている。
【００７８】
なお、カメラユニット２１の本体部２１ｃ及び基部２１ｄの設置方法は、例えば、基部２１ｄに設けられた突起ｓ（図１３参照）を弾性変形させて、この突起ｓを本体部２１ｃの孔ｈ８に嵌め込むようにしてもよい。また、例えば、基部２１ｄに対して本体部２１ｃを係止させて組み付ける構成にしてもよい。この場合において、前記した係止の向き・角度については、第１実施形態と同様のことがいえる。
【００７９】
＜効果＞
第３実施形態によれば、カメラユニット２１Ｂの基部２１ｄ（図１２参照）が、脚部２１ｅを介して予めアダプタ１１に固定されている。また、カメラユニット２１Ｂに電力を供給する電源線（図示せず）も、アダプタ１１を介してカメラユニット２１Ｂに予め接続されている。したがって、照明器具１０Ｂを部屋に設置する際、ユーザは、信号線（図示せず）の接続を行えばよく、電源線の接続が不要になる。したがって、第３実施形態によれば、接続作業に要するユーザの負担を軽減できる。
【００８０】
また、基部２１ｄに対して本体部２１ｃが、バネ２１ｆ（図１３参照）によって鉛直下向きに付勢されている。したがって、アダプタ１１において、上下に２つ並んで配置されている爪１１ａ，１１ｂ（図１２参照）のうち、いずれがアダプタ１１に係止されても、バネ２１ｆの付勢力によって、カメラユニット２１Ｂのレンズｒを適切な位置に配置できる。
【００８１】
≪第４実施形態≫
第４実施形態は、カメラユニット２１（図１４参照）がカバー部材２２に予め固定されている点が第１実施形態とは異なるが、その他については第１実施形態と同様である。したがって、第１実施形態とは異なる部分について説明し、重複する部分については説明を省略する。
【００８２】
図１４は、第４実施形態に係る照明器具１０Ｃのカメラユニット２１及びカバー部材２２を含む断面図である。
なお、図１４では、カメラユニット２１及びカバー部材２２以外の各部品については、図示を省略している。また、詳細については後記するが、カバー部材２２に設置されたカメラユニット２１によって、室内が撮像されるようになっている。
【００８３】
また、照明器具１０Ｃが出荷される際には、通常、カバー部材２２及びカメラユニット２１が既に組み付けられて、略一体になっている。なお、カバー部材２２に設置されたパッキン２３は、第１実施形態と同様の構成（図６参照）を備えている。
【００８４】
図１４に示すカメラユニット２１は、撮像素子ｐを含む本体部２１ａと、この本体部２１ａに組み付けられた基部２１ｂと、を有している。カメラユニット２１は、カバー部材２２の中心に設けられた開口ｍからレンズｒが覗くするように、カバー部材２２の開口ｍに嵌め込まれて固定されている。このような固定の方法として、接着等が挙げられるが、これに限定されるものではない。
【００８５】
なお、基部２１ｂに対して本体部２１ａを係止させて組み付ける場合において、係止する際の回転の向き・角度については、第１実施形態と同様のことがいえる。
【００８６】
＜効果＞
第４実施形態によれば、アダプタ１１を介した接続作業が行われた後、カメラユニット２１が予め設置されたカバー部材２２が、ユーザによって設置される。ここで、アダプタ１１を介した接続作業をユーザが行っているとき、ＬＥＤカバー１９等の各孔が塞がれていないため、アダプタ１１を介した接続作業を容易に行うことができる。また、カメラユニット２１がカバー部材２２に予め固定されているため、カメラユニット２１の中で配線のよじれが生じるおそれがほとんどない。
【００８７】
≪変形例≫
以上、本発明に係る照明器具１０等について各実施形態により説明したが、本発明はこれらの記載に限定されるものではなく、種々の変更を行うことができる。
例えば、第１実施形態（図２参照）では、カメラユニット２１において本体部２１ａと基部２１ｂとが別体である構成について説明したが、これに限らない。すなわち、本体部２１ａと基部２１ｂとが一体であってもよい。なお、第４実施形態（図１４参照）についても同様のことがいえる。
【００８８】
また、第２実施形態（図９参照）では、カメラユニット２１において本体部２１ａと基部２１ｂとが一体である構成について説明したが、これに限らない。すなわち、カメラユニット２１の基部２１ｂと本体部２１ａとが別体であり、これらを相互に組み付けるようにしてもよい。ちなみに、組付方法については、基部２１ｂに対して本体部２１ａを所定角度だけ回転させて係止させてもよいし、図示はしないが、弾性を有する複数の爪によって、基部２１ｂに本体部２１ａを設置するようにしてもよい。
なお、本体部２１ａを所定角度だけ回転させて係止させる際の回転する向きや回転角については、前記した第１実施形態と同様のことがいえる。具体的に説明すると、カバー部材２２を回転させて「器具本体」に係止させる際の回転の向き、キャップ２４を回転させてＬＥＤカバー１９に係止させる際の回転の向き、及び、カメラユニット２１の本体部２１ａを回転させて基部２１ｂに係止させる際の回転の向きが全て同じであることが好ましい。これによって、カバー部材２２を取り付ける際、ユーザの意図に反して、カメラユニット２１やキャップ２４が外れることを防止できる。
また、カバー部材２２を回転させて「器具本体」に係止させるのに要する回転角（例えば、右回りに６０°）よりも、キャップ２４を回転させてＬＥＤカバー１９に係止させるのに要する回転角（例えば、右回りに１２０°）のほうが大きいことが好ましい。さらに、カバー部材２２を回転させて「器具本体」に係止させるのに要する回転角よりも、カメラユニット２１の本体部２１ａを回転させて基部２１ｂに係止させるのに要する回転角（例えば、右回りに１２０°）のほうが大きいことが好ましい。これによって、カバー部材２２を取り外す際、ユーザの意図に反してカメラユニット２１やキャップ２４が外れることを防止できる。
【００８９】
また、第１実施形態（図６参照）では、カバー部材２２が備えるパッキン２３の第１環状部２３ａの縦断面が細長矩形状である構成について説明したが、これに限らない。例えば、第１環状部２３ａの縦断面がＬ字状を呈し、鉛直方向で肉厚の部分を内周側としてもよい。このような構成において、鉛直方向における第１環状部２３ａの厚さ（内周側の厚さ：例えば、２ｍｍ以上１０ｍｍ以下）は、第２環状部２３ｂよりも厚いことが好ましい。これによって、ＬＥＤ１７ｂから放射された光が撮像素子ｐに直接的に入射することを防止できる。なお、第２〜第４実施形態についても同様のことがいえる。
【００９０】
また、各実施形態では、カメラユニット２１においてパッキン２３が密着する部分（レンズｒの周囲の環状の部分）が摺動しない構成について説明したが、これに限らない。すなわち、カメラユニット２１において、パッキン２３に密着する環状の部分だけ、このパッキン２３との間の摩擦力によって回転する（周方向に滑る）ようにしてもよい。これによって、カバー部材２２を装着する際、このパッキン２３とカメラユニット２１との間の摩擦力が生じても、カバー部材２２をスムーズに装着できる。
【００９１】
また、各実施形態では、照明器具１０等が反射シート１８（図２参照）を備える構成について説明したが、この反射シート１８を省略してもよい。
また、各実施形態で説明した照明器具１０等は一例であり、丸型の照明器具の他、角型の照明器具等、さまざまな種類のものに適用可能である。
【００９２】
また、前記した各実施形態は本発明を分かりやすく説明するために詳細に記載したものであり、必ずしも説明した全ての構成を備えるものに限定されない。また、ある実施形態の構成の一部を他の実施形態の構成に置き換えることが可能である。また、ある実施形態の構成に他の実施形態の構成を加えることも可能である。また、各実施形態の構成の一部について、他の構成の追加・削除・置換をすることが可能である。
【符号の説明】
【００９３】
１０，１０Ａ，１０Ｂ，１０Ｃ  照明器具
１１    アダプタ
１２    本体ベース（器具本体）
１３    アダプタ受け部（器具本体）
１４    回路基板（器具本体）
１５    放熱板（器具本体）
１６    センサユニット（器具本体）
１７    ＬＥＤ基板
１７ｂ  ＬＥＤ
１８    反射シート
１９    ＬＥＤカバー
２１，２１Ｂ  カメラユニット
２１ａ，２１ｃ  本体部
２１ｂ，２１ｄ  基部
２１ｅ  脚部
２１ｆ  バネ（弾性体）
２２    カバー部材
２３    パッキン
２３ａ  第１環状部
２３ｂ  第２環状部
２３ｃ  接続部
２４    キャップ
ｈ６    孔
ｋ      切欠
ｍ      開口
ｐ      撮像素子
【図１】
2018170165.tif 000003
【図２】
2018170165.tif 000004
【図３】
2018170165.tif 000005
【図４】
2018170165.tif 000006
【図５】
2018170165.tif 000007
【図６】
2018170165.tif 000008
【図７】
2018170165.tif 000009
【図８】
2018170165.tif 000010
【図９】
2018170165.tif 000011
【図１０】
2018170165.tif 000012
【図１１】
2018170165.tif 000013
【図１２】
2018170165.tif 000014
【図１３】
2018170165.tif 000015
【図１４】
2018170165.tif 000016